【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
（ａ）熱可塑性樹脂と；
（ｂ）少なくとも１つの安定剤と；
（ｃ）少なくとも１つの難燃剤と；
（ｄ）水と
を含む、水性分散液。
【請求項２】
前記熱可塑性樹脂が、ポリエチレンホモポリマー、コポリマーもしくはマルチブロック共重合体；ポリプロピレンホモポリマー、コポリマーもしくはマルチブロック共重合体、またはそれらの組み合わせを含む、請求項１に記載の水性分散液。
【請求項３】
前記難燃剤が、無機塩、イントメッセント、ハロゲン化化合物、リン酸化合物、ホウ酸塩化合物、メラミン化合物、およびこれらの組み合わせから選択される少なくとも１つを含む、請求項１または２に記載の水性分散液。
【請求項４】
前記少なくとも１つの難燃剤が、前記熱可塑性樹脂と前記少なくとも１つの安定剤と前記少なくとも１つの難燃剤の総重量の５から７０％を構成する、請求項１から３のいずれかに記載の水性分散液。
【請求項５】
少なくとも１つの相変化材料をさらに含む、請求項１から４のいずれかに記載の水性分散液。
【請求項６】
ａ）熱可塑性樹脂と；
ｂ）水と；
ｃ）起泡性界面活性剤と；
ｄ）ガスと；
ｅ）少なくとも１つの難燃剤と
を含む、水性フロス。
【請求項７】
前記フロスが、１５から７５重量パーセントの成分（ａ）と、２５から７５重量パーセントの成分（ｂ）と、０．１から１０重量パーセントの成分（ｃ）と、５から５０重量パーセントの成分（ｅ）とを含み、（ｄ）が、そのフロス中に存在する全成分の総容量の少なくとも１０パーセントを構成するような量で存在する、請求項６に記載のフロス。
【請求項８】
前記起泡性界面活性剤が、アルキルセルロースエーテル、ヒドロキシアルキルセルロースエーテル、ヒドロキシアルキルアルキルセルロースエーテル、グアーガム、キサンタンガム、および少なくとも２０，０００の分子量のポリオキシエチレン樹脂のうちの少なくとも１つを含む、請求項６または７に記載のフロス。
【請求項９】
前記起泡性界面活性剤が、成分（ａ）の乾燥重量に基づき０．０５から１０重量パーセントの量で存在する、請求項６から８のいずれかに記載のフロス。
【請求項１０】
前記熱可塑性樹脂（ａ）が、ポリエチレンホモポリマー、コポリマーもしくはマルチブロック共重合体；ポリプロピレンホモポリマー、コポリマーもしくはマルチブロック共重合体、またはそれらの組み合わせを含む、請求項６から９のいずれかに記載のフロス。
【請求項１１】
前記少なくとも１つの難燃剤が、前記熱可塑性樹脂と前記起泡性界面活性剤と前記少なくとも１つの難燃剤の総重量の５から７０パーセントを構成する、請求項６から１０のいずれかに記載のフロス。
【請求項１２】
前記難燃剤が、無機塩、イントメッセント、ハロゲン化化合物、リン酸化合物、ホウ酸塩化合物、メラミン化合物、およびこれらの組み合わせから選択される少なくとも１つを含む、請求項６から１１のいずれかに記載のフロス。
【請求項１３】
相変化材料をさらに含む、請求項６から１２のいずれかに記載のフロス。
【請求項１４】
フィブリルまたは繊維様材料をさらに含む、請求項６から１３のいずれかに記載のフロス。
【請求項１５】
請求項１から５のいずれかに記載の水性分散液から誘導される連続気泡難燃性フォーム。
【請求項１６】
請求項６から１４のいずれかに記載の水性フロスから誘導される連続気泡難燃性フォーム。
【請求項１７】
前記フォームの気泡の大部分の気泡サイズが、５マイクロメートルと１０００マイクロメートルの間の範囲にわたる、請求項１６に記載のフォーム。
【請求項１８】
ＡＳＴＭ  Ｄ４９８６気泡高分子材料の水平燃焼特性の標準試験法（Standard Test Method for Horizontal Buring Characteristics of Cellular Polymeric Materials）に従って、非難燃性対照サンプルの８０％またはそれより短い水平燃焼長さを有する、請求項１６または１７に記載のフォーム。
【請求項１９】
乾燥ベースでの前記フォームの密度が、０．０２ｇ／ｃｍ３と０．３０ｇ／ｃｍ３の間である、請求項１６から１８のいずれかに記載のフォーム。
【請求項２０】
熱可塑性樹脂と水と安定剤とを含む水性分散液から難燃性熱可塑性フォームを生成する方法であって、
少なくとも１つの起泡性界面活性剤を前記水性分散液に添加して混合物を形成することと；
難燃剤を添加することと；
その混合物を起泡させてフロスを作ることと；
前記水の少なくとも一部分を除去して前記フォームを生じさせることと
を含む、方法。
【請求項２１】
支持体の少なくとも一部分を前記フロスの層でコーティングすることと；
そのフロスから前記水の大部分を除去することと
をさらに含む、請求項２０に記載の方法。
【請求項２２】
前記フォームが、連続気泡構造を有する、請求項２０または２１に記載の方法。
【請求項２３】
前記フォームが、フィブリル状形態を有する、請求項２０または２１に記載の方法。
【請求項２４】
前記熱可塑性樹脂が、ポリオレフィン樹脂を含む、請求項２０から２３のいずれかに記載の方法。
【請求項２５】
前記ポリオレフィン樹脂が、ポリエチレンホモポリマー、コポリマーもしくはマルチブロック共重合体；ポリプロピレンホモポリマー、コポリマーもしくはマルチブロック共重合体、またはそれらの組み合わせを含む、請求項２４に記載の方法。
【請求項２６】
前記難燃剤が、無機塩、イントメッセント、ハロゲン化化合物、リン酸化合物、ホウ酸塩化合物、メラミン化合物、およびこれらの組み合わせから選択される少なくとも１つを含む、請求項２０から２５のいずれかに記載の方法。
【請求項２７】
前記無機塩が、水酸化アルミニウムおよび水酸化マグネシウムから選択される少なくとも１つを含む、請求項２６に記載の方法。
【請求項２８】
前記フォームが、５から７０重量％の難燃剤を含む、請求項２０から２７のいずれかに記載の方法。
【請求項２９】
前記フロスが、湿潤ベースで０．０４から０．４５ｇ／ｃｍ３の範囲にわたる密度を有する、請求項２０から２８のいずれかに記載の方法。
【請求項３０】
前記コーティングが、接着剤なしで行われる、請求項２１に記載の方法。
【請求項３１】
前記フォームが、前記水の一部分を除去した後、乾燥ベースで０．０２から０．３０ｇ／ｃｍ３の範囲にわたる密度を有する、請求項２１に記載の方法。
【請求項３２】
前記分散液が、難燃剤をさらに含む、請求項２０から３１のいずれかに記載の方法。
【請求項３３】
請求項２０から３２のいずれかに記載のプロセスによって形成されるフォーム。
【請求項３４】
前記難燃剤が、前記水の少なくとも一部分を除去した後に添加される、請求項３３に記載のフォーム。
【請求項３５】
前記難燃剤が、起泡前に添加される、請求項３３に記載のフォーム。
【請求項３６】
前記フォームが連続気泡フォームである、請求項３３から３５のいずれかに記載のフォーム。
【請求項３７】
前記フォームが７５％より大きい連続気泡率を有する、請求項３３から３６のいずれかに記載のフォーム。
【請求項３８】
前記フォームがフィブリル状形態を有する、請求項３３から３５のいずれかに記載のフォーム。
【請求項３９】
前記フォームが接着剤なしで布に直接積層される、請求項３３から３８のいずれかに記載のフォーム。
【請求項４０】
請求項３３から３９のいずれかに記載のフォームを含む、防火遮断層、消音層、温度調節材料、衣料の中の断熱層、吸臭剤、パッド材、または香料担体。
【請求項４１】
作られるフォームが、２０重量パーセントまたはそれ以下の残留水を含む、請求項２０から３２のいずれかに記載の方法。
【請求項４２】
作られるフォームが、０から１０重量パーセントの残留水を含む、請求項４１に記載の方法。
【請求項４３】
作られるフォームが、０から８重量パーセントの残留水を含む、請求項４１に記載の方法。
【請求項４４】
支持体の少なくとも一部分を前記フロスの層でコーティングすることをさらに含む、請求項４１から４３のいずれかに記載の方法。
【請求項４５】
前記フォームが、連続気泡構造を有する、請求項４１から４４のいずれかに記載の方法。
【請求項４６】
前記熱可塑性樹脂が、ポリオレフィン樹脂を含む、請求項４１から４５のいずれかに記載の方法。
【請求項４７】
前記ポリオレフィン樹脂が、ポリエチレンホモポリマー、コポリマーもしくはマルチブロック共重合体；ポリプロピレンホモポリマー、コポリマーもしくはマルチブロック共重合体、またはそれらの組み合わせを含む、請求項４６に記載の方法。
【請求項４８】
前記難燃剤が、無機塩、イントメッセント、ハロゲン化化合物、リン酸化合物、ホウ酸塩化合物、メラミン化合物、およびこれらの組み合わせから選択される少なくとも１つを含む、請求項４１から４７のいずれかに記載の方法。
【請求項４９】
前記無機塩が、水酸化アルミニウムおよび水酸化マグネシウムから選択される少なくとも１つを含む、請求項４８に記載の方法。
【請求項５０】
前記フォームが、５から７０重量％の難燃剤を含む、請求項４１から４９のいずれかに記載の方法。
【請求項５１】
前記フロスが、湿潤ベースで０．０４から０．４５ｇ／ｃｍ３の範囲にわたる密度を有する、請求項４１から５０のいずれかに記載の方法。
【請求項５２】
前記コーティングが、接着剤なしで行われる、請求項４４に記載の方法。
【請求項５３】
前記フォームが、前記水の少なくとも一部分を除去した後、乾燥ベースで０．０２から０．３０ｇ／ｃｍ３の範囲にわたる密度を有する、請求項４１から５２のいずれかに記載の方法。
【請求項５４】
前記フォームの容量が、前記フロスの容量の少なくとも６０パーセントである、請求項４１から５３のいずれかに記載の方法。
【請求項５５】
布と；
その布の上に堆積された請求項３３から３９のいずれかに記載のフォームと
を含む、難燃性物品。
【請求項５６】
前記フォーム層および布層が、接着剤なしで融着されている、請求項５５に記載の物品。
【請求項５７】
前記フォームが、前記布に少なくとも部分的に含浸されている、請求項５５または５６に記載の物品。
【請求項５８】
（ａ）請求項６から１４のいずれかに記載のフロスの少なくとも１つの層と、（ｂ）前記フロス層（ａ）が堆積される少なくとも１つの支持層とを含むラミネート。
【請求項５９】
（ｂ）少なくとも１つの支持層が、フロスの層、フォームの層、熱可塑性シートもしくはフィルム、織もしくは不織布、ガラス繊維、またはメルトスパンボンドもしくはメルトブローされた材料から作製される、請求項５８に記載のラミネート。
【請求項６０】
（ａ）請求項１６から１９のいずれかに記載のフォームの少なくとも１つの層と、（ｂ）前記フォーム層（ａ）が接着される少なくとも１つの支持層とを含むラミネート構造。
【請求項６１】
（ｂ）前記少なくとも１つの支持層が、フォームの層、熱可塑性シートもしくはフィルム、織もしくは不織布、ガラス繊維、またはメルトスパンボンドもしくはメルトブローされた材料から選択される、請求項６０に記載のラミネート構造。
【請求項６２】
前記フォーム層（ａ）が、支持体（ｂ）の密度と異なる密度を有する、請求項６０または６１に記載のラミネート構造。
【請求項６３】
前記フォーム層（ａ）が、請求項１６から１９のいずれかに記載のフォームの少なくとも第一および第二の層を含み、前記第一の層が、前記第二の層の密度と異なる密度を有する、請求項６０から６２のいずれかに記載のラミネート構造。
【請求項６４】
請求項６０から６３のいずれかに記載のラミネート構造を含む難燃性物品。
【請求項６５】
（ａ）熱可塑性樹脂と；
（ｂ）少なくとも１つの難燃剤と
を含み、
前記少なくとも１つの難燃剤が、前記熱可塑性樹脂と前記少なくとも１つの難燃剤の総重量の５から７０パーセントを構成する、
フォーム。
【請求項６６】
前記難燃剤が、無機塩、イントメッセント、ハロゲン化化合物、リン酸化合物、ホウ酸塩化合物、メラミン化合物、およびこれらの組み合わせから選択される少なくとも１つを含む、請求項６５に記載のフォーム。
【請求項６７】
（ａ）熱可塑性樹脂と；
（ｂ）少なくとも１つの安定剤と；
（ｃ）少なくとも１つの相変化材料と；
（ｄ）水と
を含む、水性分散液。
【請求項６８】
ａ）熱可塑性樹脂と；
ｂ）水と；
ｃ）起泡性界面活性剤と；
ｄ）ガスと；
ｅ）少なくとも１つの相変化材料と
を含む、水性フロス。
【請求項６９】
前記フロスが、１５から７５重量パーセントの成分（ａ）と、２５から７５重量パーセントの成分（ｂ）と、０．１から１０重量パーセントの成分（ｃ）と、５から５０重量パーセントの成分（ｅ）とを含み、（ｄ）が、そのフロス中に存在する全成分の総容量の少なくとも３０パーセントを構成するような量で存在する、請求項６８に記載のフロス。
【請求項７０】
前記少なくとも１つの相変化材料が、前記熱可塑性樹脂と前記少なくとも１つの安定剤と前記少なくとも１つの相変化材料の総重量の５から７０％を構成する、請求項６８または６９に記載のフロス。
【請求項７１】
前記相変化材料が、マイクロカプセル封入ワックス、脂肪酸またはエステル、パラフィン、塩水和物、およびこれらの組み合わせから選択される少なくとも１つを含む、請求項６８から７０のいずれかに記載のフロス。
【請求項７２】
請求項６７に記載の水性分散液から誘導されるフォーム。
【請求項７３】
請求項６８から７１のいずれかに記載の水性フロスから誘導されるフォーム。
【請求項７４】
熱可塑性樹脂と水と安定剤とを含む水性分散液から熱可塑性フォームを生成する方法であって、
少なくとも１つの起泡性界面活性剤を前記水性分散液に添加して混合物を形成することと；
相変化材料を添加することと；
その混合物を起泡させてフロスを作ることと；
前記水の少なくとも一部分を除去して前記フォームを生成することと
を含み、
作られるフォームが、２０重量パーセントまたはそれ以下の残留水を含む、方法。
【請求項７５】
（ａ）熱可塑性樹脂と；
（ｂ）少なくとも１つの相変化材料と
を含み、
前記少なくとも１つの相変化材料が、前記熱可塑性樹脂と前記少なくとも１つの相変化材料の総重量の５から７０パーセントを構成する、
フォーム。
【請求項７６】
前記相変化材料が、マイクロカプセル封入ワックス、脂肪酸またはエステル、パラフィン、塩水和物、およびこれらの組み合わせから選択される少なくとも１つを含む、請求項７５に記載のフォーム。